(57)【要約】      （修正有）【課題】クリーニングする物体の表面を傷つけることがない高い洗浄効果を備えるクリーニングクロスを提供する。【解決手段】発泡層１１と、コロイドポリマー層１２とからなる。その内、発泡層１１は、水を吸い込めるとともに水を閉じ込める効果を備える。また、前記コロイドポリマー層１２は、洗浄する効果を備える。前記発泡層１１は、透水性材質を備える強化層に被覆され、前記強化層一面には、前記コロイドポリマー層１２が設けられ、前記強化層は布材である。【選択図】図１
0003181561.tif 000002
【実用新案登録請求の範囲】
【請求項１】
水を吸い込むとともに水を閉じ込める効果を備える発泡層と、前記発泡層の一側に設けられるとともに洗浄効果を備えるコロイドポリマー層とからなることを特徴とする、高い洗浄効果を備えるクリーニングクロス。
【請求項２】
前記発泡層は、さらに、透水性材質を備える強化層に被覆されることを特徴とする、請求項１に記載の高い洗浄効果を備えるクリーニングクロス。
【請求項３】
前記強化層は、布材であることを特徴とする、請求項２に記載の高い洗浄効果を備えるクリーニングクロス。
【請求項４】
前記強化層の一側には、固定部材が設けられることを特徴とする、請求項２に記載の高い洗浄効果を備えるクリーニングクロス。
【請求項５】
前記固定部材は、面ファスナーであることを特徴とする、請求項４に記載の高い洗浄効果を備えるクリーニングクロス。
【請求項６】
前記発泡層は、水を吸い込めるとともに水を閉じ込めることができる発泡体であることを特徴とする、請求項１に記載の高い洗浄効果を備えるクリーニングクロス。
【請求項７】
前記コロイドポリマー層の上部には、模様が形成されることを特徴とする、請求項１に記載の高い洗浄効果を備えるクリーニングクロス。
【考案の詳細な説明】
【技術分野】
【０００１】
本考案はクリーニングクロスに関し、特に極めて高い洗浄効果を備えるクリーニングクロスに関する。
【背景技術】
【０００２】
一般的な家庭用、工業用、或いは、洗車用のクリーニング布（クリーニングクロス）にはいくつもの種類がある。例えば、洗車クロス、雑巾、マジッククロス等である。その機能は、簡単に言うと、汚れや垢を取り除ききれいにする効果ある。ただし、垢を取り除くためには、洗剤をつけないとならない。従って、上述のクリーニングクロスの用途は、単純に、洗剤を均一に塗布して拭くだけのものである。
【０００３】
また、車やガラスの汚れや垢をクリーニングするために現在最も使われているものの一つに、粘土状クリーナーがある。この粘土状クリーナーは、強力な汚れ洗浄効果があり、空気中に存在して表面に付着した汚れや垢を取り除くこともできるし、車のコールタールを除去することもできる。
【０００４】
しかしながら、上述したクリーニングクロスと粘土状クリーナーは、使用する際、以下の問題と欠点があるため、改善が待たれている。
【０００５】
一般的なクリーニングクロスは、汚れをとるためにはやはり洗剤に頼るしかない。また、粘土状クリーナーは握りにくいため手が滑りやすい上、手が粘土本体に直接触れることになる。しかも、絶え間なく粘土をひっくり返してこねなければならないため、汚れや垢が内部に隠れてしまい、非常に面倒である。
【考案の概要】
【考案が解決しようとする課題】
【０００６】
そこで、本考案は、クリーニングする物体の表面を傷つけることがない高い洗浄効果を備えるクリーニングクロスを提供することを目的とする。
【０００７】
また、本考案は、長期間使用しても亀裂が生じにくい、高い洗浄効果を備えるクリーニングクロスを提供することを目的とする。
【課題を解決するための手段】
【０００８】
本考案による高い洗浄効果を備えるクリーニングクロスは、主に、発泡層と、コロイドポリマー層とからなる。その内、発泡層は、水を吸い込めるとともに水を閉じ込める効果を備える。また、前記コロイドポリマー層は、洗浄する効果を備える。使用者が本考案のクリーニングクロスを使用して拭く際、前記発泡層によって水分が内部に吸収されるため、使用者がコロイドポリマー層で汚れや垢のついた表面層を拭くと、水分が発泡層から押し出される。それにより、コロイドポリマー層の表面は過度に乾燥することがなくなり、洗浄する物の表面層を傷つけることがない。また、前記発泡層は、透水性材質を備える強化層に被覆され、前記強化層一面には、前記コロイドポリマー層が設けられ、前記強化層は布材であり、以上の構造により、水を通し、水を閉じ込める特性を備える。この前記強化層により、発泡層は長期使用しても亀裂が生じにくくなる。
【考案の効果】
【０００９】
上述の技術により、従来のクリーニングクロスと粘土状クリーナーに存在する欠点を解決することができる。従来のクリーニングクロスは、洗剤を一緒に用いないと汚れを落とすことができないのが主な欠点であり、粘土状クリーナーは、握りにくく手が滑ってしまいやすいことと、手が直接粘土の本体に触れる上、絶え間なく粘土をひっくり返してこねなければならないため、汚れや垢が内面に隠れてしまい、非常に面倒であるという欠点がある。本考案は、これらの問題を解決し、握りやすくて手を傷つけることがないとともに、発泡層が水分を吸収してコロイドポリマー層を潤わすことで、使用する過程で表層（例えば、車の塗装）を傷つけることがない。また、変質させることもなく、実用進歩性を備えている。
【図面の簡単な説明】
【００１０】
【図１】本考案の好ましい実施例の斜視図である。
【図２】本考案の好ましい実施例の断面図である。
【図３】本考案の実施例１の実施の説明図である。
【図４】本考案の実施例２の実施の説明図である。
【図５】本考案の実施例３の実施の説明図である。
【図６】本考案の実施例４の実施の説明図である。
【図７】本考案の実施例５の実施の説明図である。
【図８】本考案の実施例６の実施の説明図である。
【図９】本考案の実施例７の実施の説明図である。
【図１０】本考案の実施例８の実施の説明図である。
【考案を実施するための形態】
【００１１】
図１と図２を参照する。図１と図２は、本考案の好ましい実施例の斜視図及び断面図である。図から分かるように、本考案のクリーニングクロス１０は、吸水効果を備える発泡層１１と、発泡層１１一側に設けられるとともに、洗浄効果を備えるコロイドポリマー層１２とからなる。
【００１２】
発泡層１１は、水を吸い込み、水を閉じ込めることができる発泡体である。
【００１３】
以上の構造により、使用者がクリーニングクロス１０を使って拭く際に、発泡層１１は水分を吸収することができるため、拭く過程で発泡層１１が圧迫され、発泡層１１内の水分が染み出てコロイドポリマー層１２につき、コロイドポリマー層１２は水分で潤った状態が保たれる。このため、汚れた表面を拭く時にその表面を傷つけることがなく、しかも、コロイドポリマー層１２が乾燥して裂けたり変質したりしてしまうことがない。
【００１４】
また、コロイドポリマー層１２は、さらに、上部に模様１２１が形成され、それにより、さらに優れた清潔效果を発揮するとともに、汚れの粒を収容することができ、本考案を使用して拭いた時に、汚れの粒が表面と摩擦を起こして表面に傷がつくのを防ぐことができるとともに、模様１２１により、その摩擦力を適度に高め、洗浄效果を向上させることができる。
【００１５】
（実施例１）
図３を参照する。図３は、本考案の実施例１の実施の説明図である、図から分かるように、クリーニングクロス１０ａは、主に、水を吸い込めるとともに水を閉じ込める効果を備える発泡層１１ａと、発泡層１１ａの一側に設けられるとともに洗浄効果を備えるコロイドポリマー層１２ａとからなる。その内、発泡層１１ａは、さらに、透水性材質を備える強化層１３ａに被覆される。また、強化層１３ａの一面にはコロイドポリマー層１２ａが設けられ、強化層１３ａは布材であり、透水の特性を備える。強化層１３ａにより、長期間使用しても、発泡層１１ａが亀裂を起こしにくくなる。このように本考案は実用進歩性をそなえている。
【００１６】
（実施例２）
図４を参照する。図４は、本考案の実施例２の実施の説明図である、図から分かるように、発泡層１１ｂは、さらに、透水性材質を備える強化層１３ｂに被覆される。また、強化層１３ｂの一面には、コロイドポリマー層１２ｂが設けられ、強化層１３ｂの他面には、さらに、固定部材１４ｂが設けられる。固定部材１４ｂは、面ファスナーである。以上の構造により、使用者は、固定部材１４ｂを利用して、クリーニングクロス１０ｂをいずれかの物体上に固定することができるため、きわめて便利であるとともに、多様性に富む用途を提供することができる。
【００１７】
（実施例３）
図５を参照する。図５は、本考案の好ましい実施例３の実施の説明図である、図から分かるように、本考案のクリーニングクロス１０ｃは、固定部材１４ｃによって棒体２０ｃに結合させることができ、それにより、ガラス３０ｃのクリーニングをすることができる。このように、多機能を備えるとともに、多様な用途に使える。
【００１８】
（実施例４）
図６を参照する。図６は、本考案の実施例４の実施の説明図である、図から分かるように、本考案の実施例４のクリーニングクロス１０ｄは、タイル４０ｄを拭くことができる。図に示しているのは、家の浴室のタイル４０ｄをクリーニングしている状態を示した図である。このように、洗剤を必要とせずに、タイル４０ｄの汚れや垢を取り除くことができるので、非常に便利である。
【００１９】
（実施例５）
図７を参照する。図７は、本考案の好ましい実施例５の実施の説明図である、図から分かるように、本考案の実施例５のクリーニングクロス１０ｅは、車のボディ５０ｅを拭くことができ、それにより、車のボディ５０ｅの汚れや垢を簡単に取り除くことができる。しかも、発泡層１１ｅの水性特質により、使用中に過度に乾燥して車のボディ５０ｅを傷つけることがない。
【００２０】
（実施例６）
図８を参照する。図８は、本考案の実施例６の実施の説明図である。図から分かるように、本考案のクリーニングクロス１０ｆは、発泡層１１ｆと、コロイドポリマー層１２ｆとからなる。その内、コロイドポリマー層１２ｆの所定の位置には、少なくとも一つの溝部１２２ｆが設けられ、溝部１２２ｆによって、汚れや垢を内部に収容することができるため、拭く動作を往復させたとき、一度目に拭いた汚れなどにより表面を傷つけることがない。
【００２１】
（実施例９）
図９を参照する。図９は、本考案の実施例９の実施の説明図である．図から分かるように、本考案の実施例９のクリーニングクロス１０ｇは、発泡層１１ｇと、コロイドポリマー層１２ｇとからなる。クリーニングクロス１０ｇは、手袋の形態である。また、発泡層１１ｇの周囲は、コロイドポリマー層１２ｇと結合され、一端は開口１２３ｇを形成することで、手を収容空間１２４ｇに入れることができる。本考案を使用したいときは、使用者の手を開口１２３ｇから収容空間１２４ｇ内に入れると、手を傷つけずに拭いてクリーニングを行うことができる。
【００２２】
（実施例８）
図１０を参照する。図１０は、本考案の実施例８の実施の説明図である、図から分かるように、本考案の実施例８のクリーニングクロスは、発泡層１１ｈと、コロイドポリマー層１２ｈと、発泡層を被覆する強化層１３ｈとからなる。その内、クリーニングクロス１０ｈは、矩形の形態を呈し、強化層１３ｈの一面は、コロイドポリマー層１２ｈと結合され、一端は開口１２３ｈを形成することで、手を入れられる収容空間１２４ｈを形成する。以上の構造により、使用者の手を収容空間１２４ｈ内に入れると、手を傷つけずに拭いてクリーニングを行うことができる。
【００２３】
以上は、いずれも本考案の好ましい実施例にすぎず、それにより、本考案の実用新案登録請求の範囲を制限するものではない。従って、本考案の明細書及び図の内容を少し変えたものや同じ効果をもつ変更に関しては、いずれも、本考案の実用新案登録請求の範囲内に含まれるものとする。
【００２４】
全ての図を参照する。本考案を使用すると、従来の技術と比べ、以下の利点が存在する。
【００２５】
１、本考案のクリーニングクロス１０は握りやすく、手を傷つけない。しかも、発泡層１１がコロイドポリマー層１２に潤いを与えることにより、使用する過程において、表層（例えば、車の塗装）を傷つけることがない上、変質を起こすこともないという、実用進歩性を備えている。
【００２６】
２、強化層１３ａにより、発泡層１１ａを長期間使用しても亀裂が生じにくいという、実用進歩性を備えている。
【００２７】
３、クリーニングを行うとき、洗剤や溶剤を使わなくても、頑固な汚れを落とすことができる。また、洗剤をスプレーしたり塗布したり、粘土をつけて汚れを落とす面倒な手順を省くことができる。
【符号の説明】
【００２８】
１０、１０ａ、１０ｂ、１０ｃ、１０ｄ、１０ｅ、１０ｆ、１０ｇ、１０ｈ      クリーニングクロス        
１１、１１ａ、１１ｂ、１１ｆ、１１ｇ、１１ｅ、１１ｈ  発泡層        
１２、１２ａ、１２ｂ、１２ｆ、１２ｇ、１２ｈ  コロイドポリマー層
１２１                  模様        
１２２ｆ                溝部        
１２３ｇ、１２３ｈ      開口      
１２４ｇ、１２４ｈ      収容空間
１３ａ、１３ｂ、１３ｈ  強化層    
１４ｂ、１４ｃ          固定部材        
２０ｃ                  棒体        
３０ｃ                  ガラス        
４０ｄ                  タイル        
５０ｅ                  車のボディ    
【図１】
0003181561.tif 000003
【図２】
0003181561.tif 000004
【図３】
0003181561.tif 000005
【図４】
0003181561.tif 000006
【図５】
0003181561.tif 000007
【図６】
0003181561.tif 000008
【図７】
0003181561.tif 000009
【図８】
0003181561.tif 000010
【図９】
0003181561.tif 000011
【図１０】
0003181561.tif 000012